(57)【要約】【課題】  インターネット上に存在する音楽、画像等のコンテンツのアドレスをチャンネル情報などのスカラー値として認識等すること。【解決手段】  前記処理手段が、（ａ）スカラー値を前記入力手段から受付けるステップと、（ｂ）受付けたスカラー値に関連付けられたコンテンツ識別子を前記記憶手段から読み出すステップと、（ｃ）読み出したコンテンツ識別子に対応するコンテンツを、前記通信手段を介して外部のサーバから受信するステップと、（ｄ）受信したコンテンツを再生してその音声を前記音声出力手段から出力するステップと、を実行する。【選択図】  図３
2008072672.tif 000002
【特許請求の範囲】
【請求項１】
スカラー値と、コンテンツを識別するコンテンツ識別子とが関連付けて記憶された記憶手段、入力手段、通信手段、音声出力手段及び処理手段を備えたインターネットラジオ装置であって、
前記処理手段が、
（ａ）スカラー値を前記入力手段から受付けるステップと、
（ｂ）受付けたスカラー値に関連付けられたコンテンツ識別子を前記記憶手段から読み出すステップと、
（ｃ）読み出したコンテンツ識別子に対応するコンテンツを、前記通信手段を介して外部のサーバから受信するステップと、
（ｄ）受信したコンテンツを再生してその音声を前記音声出力手段から出力するステップと、
を実行することを特徴としたインターネットラジオ装置。
【請求項２】
前記インターネットラジオ装置が、さらに、前記入力手段から受付けたスカラー値を表示する表示手段を備えたことを特徴とした請求項１記載のインターネットラジオ装置。
【発明の詳細な説明】
【技術分野】
【０００１】
本発明は、ラジオ装置に係り、特に、ネットワーク上に開設されたラジオ局の放送を受信するインターネットラジオ装置に関する。
【背景技術】
【０００２】
従来、ネットワーク上に開設されたラジオ局の放送をユーザが容易に受信することができるラジオ装置が開示されている（例えば、特許文献１）。
【０００３】
当該ラジオ装置は、検索部がネットワークを介して音楽のコンテンツを配信するサーバを検索し、ユーザの操作に応じて設定されたアドレス情報と検索部で検索されたサーバに割り当てられたアドレス情報とに応じた局間音を生成するようになっている。これによると、従来の電波を受信するラジオ装置と同様の操作で、ネットワークに接続されたラジオ局を容易に検索することができる。
【０００４】
しかし、上記従来例においては、インターネット上に存在する音楽等のコンテンツのアドレスは、ＵＲＬ（Ｕｎｉｆｏｒｍ  Ｒｅｓｏｕｒｃｅ  Ｌｏｃａｔｏｒ）又はＩＰ（Ｉｎｔｅｒｎｅｔ  Ｐｒｏｔｏｃｏｌ）アドレスで指定されており、ユーザは好みのコンテンツを再生するには、そのアドレスを正確に知り、入力する必要があった。また、ラジオ装置自体の記憶領域に、ユーザからのコンテンツ再生リクエストを上記アドレスに変換する対応ファイルを持たせなければならなかった。また、お気に入りのコンテンツについての情報を共有することも難しかった。
【特許文献１】特開２００２−１５８５９８号公報
【発明の開示】
【発明が解決しようとする課題】
【０００５】
本発明は、かかる従来例の有する不都合を改善し、特に、インターネット上に存在する音楽、画像等のコンテンツのアドレスをチャンネル情報などのスカラー値として認識することができることを課題とする。また、ユーザの好みのコンテンツについての情報をラジオ装置本体の記憶領域に持たせないことを課題とする。また、より簡易な構成のラジオ装置を作成することを課題とする。また、ユーザの間で好みのコンテンツについての情報を手軽に共有できるようにすることを課題とする。また、ユーザが容易に自分専用の好みにあわせてコンテンツの再生リストを作成できるようにすることを課題とする。
【課題を解決するための手段】
【０００６】
上記課題を解決するため、本発明では次のような構成を採っている。
【０００７】
請求項１記載の発明は、スカラー値と、コンテンツを識別するコンテンツ識別子とが関連付けて記憶された記憶手段、入力手段、通信手段、音声出力手段及び処理手段を備えたインターネットラジオ装置である。そして、前記処理手段が、（ａ）スカラー値を前記入力手段から受付けるステップと、（ｂ）受付けたスカラー値に関連付けられたコンテンツ識別子を前記記憶手段から読み出すステップと、（ｃ）読み出したコンテンツ識別子に対応するコンテンツを、前記通信手段を介して外部のサーバから受信するステップと、（ｄ）受信したコンテンツを再生してその音声を前記音声出力手段から出力するステップと、を実行する。
【０００８】
請求項２記載の発明は、前記インターネットラジオ装置が、さらに、前記入力手段から受付けたスカラー値を表示する表示手段を備えている。
【発明の効果】
【０００９】
本発明によれば、インターネット上に存在する音楽、画像等のコンテンツのアドレスをチャンネル情報などのスカラー値として認識することができる。
【発明を実施するための最良の形態】
【００１０】
以下、図面を参照しながら、本発明の実施形態について説明する。
【００１１】
図１は、本実施形態のコンピュータシステムの全体構成を示すブロック図である。インターネットラジオ装置１０と、インターネットラジオ装置１０で再生するコンテンツの番組表を管理する情報提供システム２０と、番組表を作成するための端末３０と、音楽、動画像等のコンテンツを提供するコンテンツサーバ４０とが、通信ネットワークとしてのインターネット５０に接続されている。ここで、インターネットラジオ装置１０、情報提供システム２０、端末３０及びコンテンツサーバ４０と、インターネットとの接続は有線であるか無線であるかを問わない。
【００１２】
図２は、インターネットラジオ装置１０の斜視図である。インターネットラジオ装置１０は、ＬＡＮ（Ｌｏｃａｌ  Ａｒｅａ  Ｎｅｔｗｏｒｋ）ケーブルを通じてインターネットへ接続されている。また、インターネットラジオ装置１０は、コンテンツサーバ４０に対応するチャンネルを選択するための選局部と、当該チャンネルをスカラー値として表示するためのアナログ式表示部、音声を再生する音声再生部を備えている。
【００１３】
図３は、インターネットラジオ装置１０の構成図である。当該インターネットラジオ装置１０は、処理手段としてのＣＰＵ１１、記憶手段としてのＲＡＭ１２及びＲＯＭ１３、入力手段としての選局部１４、表示手段としてアナログ式表示部１５、音声出力手段としての音声再生部１７並びに通信手段としてのＮＩＣ１６（Ｎｅｔｗｏｒｋ  Ｉｎｔｅｒｆａｃｅ  Ｃａｒｄ）を備えている。ＲＯＭ１３には、コンテンツ再生プログラム等が記憶されている。インターネットラジオ装置１０のＣＰＵは、コンテンツ再生プログラムを実行することにより、コンテンツサーバ４０が提供する音楽等のコンテンツを再生することができるようになっている。
【００１４】
図４は、情報提供システム２０の構成図である。当該情報提供システム２０は、処理手段としてのＣＰＵ２１、記憶手段としてのＲＡＭ２２、ＲＯＭ２３及びＨＤＤ２４（Ｈａｒｄ  Ｄｉｓｋ  Ｄｒｉｖｅ）並びに通信手段としてのＮＩＣ２５（Ｎｅｔｗｏｒｋ  Ｉｎｔｅｒｆａｃｅ  Ｃａｒｄ）を備えている。ＨＤＤ２４には、情報提供プログラム、番組情報ファイル等が記憶されている。情報提供システム２０のＣＰＵは、情報提供プログラムを実行することにより、インターネットラジオ装置１０で再生するコンテンツの番組表を管理することができるようになっている。本実施形態では、情報提供システム２０として、一般的なウェブサーバを採用している。
【００１５】
図５は、情報提供システム２０のＨＤＤに記憶された番組情報ファイルの構造図である。当該番組情報ファイルには、スカラー値とコンテンツのＵＲＬとが関連付けて記憶されている。ここで、スカラー値は、１（チャンネル）又は１（Ｈｚ）のように単位を含んでもよいものとする。
【００１６】
図６は、端末３０の構成図である。当該端末３０は、処理手段としてのＣＰＵ３１、記憶手段としてのＲＡＭ３２、ＲＯＭ３３、及びＨＤＤ３４（Ｈａｒｄ  Ｄｉｓｋ  Ｄｒｉｖｅ）、入力手段としてのキーボード３５及びマウス３６、表示手段としてのディスプレイ３７並びに通信手段としてのＮＩＣ３８（Ｎｅｔｗｏｒｋ  Ｉｎｔｅｒｆａｃｅ  Ｃａｒｄ）を備えている。端末１０としては、例えば、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｃｅ）、インターネット接続機能を有する携帯電話等が該当するが、本実施形態ではＰＣを採用している。
【００１７】
さらに、図示していないが、コンテンツサーバ４０は、処理手段としてのＣＰＵ、記憶手段としてのＲＡＭ、ＲＯＭ及びＨＤＤ（Ｈａｒｄ  Ｄｉｓｋ  Ｄｒｉｖｅ）並びに通信手段としてのＮＩＣ（Ｎｅｔｗｏｒｋ  Ｉｎｔｅｒｆａｃｅ  Ｃａｒｄ）を備えている。ここで、当該コンテンツサーバ４０は、一般的にインターネットラジオ装置の使用者や情報提供システムの管理者や、端末の利用者から見て第三者が管理するサーバであり、無料若しくは有料でコンテンツを提供するものである。
【００１８】
次に、本実施形態のコンピュータシステムの動作について説明する。
（実施形態１）
【００１９】
本実施形態では、インターネットラジオ装置１０が、コンテンツサーバ４０のコンテンツを再生する基本動作について詳細に説明する。
【００２０】
インターネットラジオ装置１０のＣＰＵは、インターネットラジオ装置１０の電源がオンになったこと等を契機として、番組情報ファイルの取得要求を情報提供システム２０に送信する（Ｓ１０）。
【００２１】
情報提供システム２０のＣＰＵは、番組情報ファイルの取得要求をインターネットラジオ装置１０から受信する。続いて、情報提供システム２０のＣＰＵは、当該取得要求に基づいて、番組情報ファイルをＨＤＤから読み出す（Ｓ１５）。そして、情報提供システム２０のＣＰＵは、読み出した番組情報ファイルをインターネットラジオ装置１０に送信する（Ｓ２０）。ここで、本実施形態では、番組情報ファイルはＸＭＬ形式を採用しているが、他の形式であってもよい。
【００２２】
インターネットラジオ装置１０のＣＰＵは、番組情報ファイルを情報提供システム２０から受信する。続いて、インターネットラジオ装置１０のＣＰＵは、受信した番組情報ファイルをＲＡＭに格納する（Ｓ２５）。
【００２３】
インターネットラジオ装置１０のＣＰＵは、選局部により所定のチャンネルに対応するスカラー値が指定されたことを契機として、当該スカラー値に関連付けられたＵＲＬをＲＡＭに格納された番組情報ファイルから読み出す（Ｓ３０）。例えば、「１チャンネル」に対応するスカラー値として「１」が選局部により指定された場合には、当該スカラー値「１」に関連付けられたＵＲＬを上記番組情報ファイルから読み出す。続いて、インターネットラジオ装置１０のＣＰＵは、読み出したＵＲＬに対応するコンテンツサーバ４０にコンテンツの取得要求を送信する（Ｓ３５）。
【００２４】
コンテンツサーバ４０のＣＰＵは、コンテンツの取得要求をインターネットラジオ装置１０から受信する。続いて、コンテンツサーバ４０のＣＰＵは、当該取得要求に基づいて、上記ＵＲＬに対応するコンテンツをＨＤＤから読み出す（Ｓ４０）。そして、コンテンツサーバ４０のＣＰＵは、読み出したコンテンツをインターネットラジオ装置１０に送信する（Ｓ４５）。ここで、コンテンツの配信（送信）は、ストリーミング形式であるか、ダウンロード形式であるかを問わない。
【００２５】
インターネットラジオ装置１０のＣＰＵは、上記ＵＲＬに対応するコンテンツをコンテンツサーバ４０から受信する。続いて、インターネットラジオ装置１０のＣＰＵは、受信したコンテンツを再生し、音声再生部から音声を出力する（Ｓ５０）。
【００２６】
これによると、インターネットラジオ装置１０のＣＰＵは、選局部で選択されたチャンネルに対応するコンテンツを再生することができる。また、上記チャンネルを介してインターネット上に存在する音楽等のコンテンツのアドレスを１次元のスカラー値として認識することができる。また、ユーザの好みのコンテンツについての情報をラジオ装置本体の記憶領域に持たせないようにすることができる。また、ユーザの好みのコンテンツについての情報をラジオ装置本体の記憶領域に持たせないようにすることができるので、より簡易な構成のラジオ装置を作成することができる。
（実施形態２）
【００２７】
本実施形態では、図７のようなデータ構造を有する番組情報ファイルを採用している。当該番組情報ファイルには、スカラー値及びコンテンツの再生時間帯の組合せと、コンテンツのＵＲＬとが関連付けて記憶されている。
【００２８】
以下、インターネットラジオ装置１０が、当該番組情報ファイルを利用して、コンテンツを再生する動作について詳細に説明する。
【００２９】
インターネットラジオ装置１０のＣＰＵは、インターネットラジオ装置１０の電源がオンになったこと等を契機として、番組情報ファイルの取得要求を情報提供システム２０に送信する（Ｓ６０）。
【００３０】
情報提供システム２０のＣＰＵは、番組情報ファイルの取得要求をインターネットラジオ装置１０から受信する。続いて、情報提供システム２０のＣＰＵは、当該取得要求に基づいて、番組情報ファイルをＨＤＤから読み出す（Ｓ６５）。そして、情報提供システム２０のＣＰＵは、読み出した番組情報ファイルをインターネットラジオ装置１０に送信する（Ｓ７０）。
【００３１】
インターネットラジオ装置１０のＣＰＵは、番組情報ファイルを情報提供システム２０から受信する。続いて、インターネットラジオ装置１０のＣＰＵは、受信した番組情報ファイルをＲＡＭに格納する（Ｓ７５）。
【００３２】
インターネットラジオ装置１０のＣＰＵは、選局部により所定のチャンネルに対応するスカラー値が指定されたことを契機として、現在の時刻をタイマー等により取得する（Ｓ８０）。ここで、インターネットラジオ装置１０は、現在の時刻を取得するためのタイマーを備えているが、現在の時刻を提供する外部のサーバから現在の時刻を取得するようにしてもよい。続いて、インターネットラジオ装置１０のＣＰＵは、取得した現在の時刻が属するコンテンツの再生時間帯をＲＡＭに格納された番組情報ファイルから読み出す（Ｓ８５）。そして、インターネットラジオ装置１０のＣＰＵは、選局部により指定されたチャンネルに対応するスカラー値及び読み出したコンテンツの再生時間帯の組合せに関連付けられたＵＲＬをＲＡＭに格納された番組情報ファイルから読み出す（Ｓ９０）。例えば、「１チャンネル」に対応するスカラー値として「１」が選局部により指定され、かつ、現在の時刻「１９：２０」が属するコンテンツの再生時間帯として「１９：００から２０：００まで」が読み出された場合には、スカラー値「１」及びコンテンツの再生時間帯「１９：００から２０：００まで」の組合せに関連付けられたＵＲＬ「ｈｔｔｐ：／／ｄｏｍａｉｎ１．ｃｏｍ／ｓｔｒｅａｍ／ｍｙｓｔｒｅａｍ．ｓｗｆ」をＲＡＭに格納された番組情報ファイルから読み出す。続いて、インターネットラジオ装置１０のＣＰＵは、読み出したＵＲＬに対応するコンテンツサーバ４０にコンテンツの取得要求を送信する（Ｓ９５）。
【００３３】
コンテンツサーバ４０のＣＰＵは、コンテンツの取得要求をインターネットラジオ装置１０から受信する。続いて、コンテンツサーバ４０のＣＰＵは、当該取得要求に基づいて、上記ＵＲＬに対応するコンテンツをＨＤＤから読み出す（Ｓ１００）。そして、コンテンツサーバ４０のＣＰＵは、読み出したコンテンツをインターネットラジオ装置１０に送信する（Ｓ１０５）。ここで、コンテンツの配信（送信）は、ストリーミング形式であるか、ダウンロード形式であるかを問わない。
【００３４】
インターネットラジオ装置１０のＣＰＵは、上記ＵＲＬに対応するコンテンツをコンテンツサーバ４０から受信する。続いて、インターネットラジオ装置１０のＣＰＵは、受信したコンテンツを再生し、音声再生部から音声を出力する（Ｓ１１０）。
【００３５】
これによると、インターネットラジオ装置１０のＣＰＵは、選局部で選択されたチャンネルと、コンテンツの再生時間帯の組合せに応じて、コンテンツを再生することができる。また、コンテンツの再生時間帯に応じて、チャンネルに割り当てるコンテンツを変更することができる。
【００３６】
ここで、番組情報ファイルで関連付けて記憶されるものは、例えばスカラー値及びコンテンツの再生順序の組合せと、コンテンツのＵＲＬとしてもよい。これによると、インターネットラジオ装置１０のＣＰＵは、選局部で選択されたチャンネルとコンテンツの再生順序に応じて、追加の操作なしに連続してコンテンツを再生することができる。また、実施形態１と実施形態２においては、主に音声のコンテンツの再生に説明してきたが、インターネットラジオ装置が、画像再生手段としての画像再生部を備えることにより、静止画像又は動画像のコンテンツを再生して画像再生部に表示するようにしてもよい。
（番組表の作成）
【００３７】
以下、インターネットラジオ装置１０で利用することができる番組表を作成する動作を詳細に説明する。ここで、以下の説明においては、動画像のコンテンツの再生について説明するが、インターネットラジオ装置は、画像再生部を備えることにより、静止画像又は動画像のコンテンツを再生して画像再生部に表示するようになっているものとする。
【００３８】
端末３０のＣＰＵは、番組表作成プログラムのスクリプトを情報提供システム２０から取得する（Ｓ１２０）。本実施形態では、ＪａｖａＳｃｒｉｐｔ（登録商標）で記述されたＨＴＭＬファイルを取得しているが、外部ファイルとしてのｊｓファイルを利用する方法であってもよい。続いて、端末３０のＣＰＵは、ウェブブラウザのプロセスにより、取得した番組表作成プログラムのスクリプトを実行して、番組表作成ウィンドウを表示する（Ｓ１２５）。一方、端末３０のＣＰＵは、ウェブブラウザの別のウィンドウにコンテンツサーバ４０のウェブサイトを表示している。図８は、番組表作成ウィンドウと、コンテンツサーバ４０のウェブサイトを表示したウィンドウとをディスプレイに表示した図である。
【００３９】
端末３０のＣＰＵは、番組表作成プログラムのプロセスにより、以下の処理を行う。
【００４０】
端末３０のＣＰＵは、コンテンツサーバ４０のウェブサイトを表示したウィンドウから番組表作成ウィンドウに、動画像のコンテンツに対応するサムネイルのドラッグアンドドロップを受付ける（Ｓ１３０）。ここで、サムネイルには、当該動画像を含むコンテンツへのリンクが貼られているものとする。
【００４１】
端末３０のＣＰＵは、ドラッグアンドドロップされたオブジェクトからリンク情報を取得する。続いて、端末３０のＣＰＵは、取得したリンク情報を情報提供システム２０に送信する（Ｓ１３５）。
【００４２】
情報提供システム２０のＣＰＵは、リンク情報を端末３０から受信する。続いて、情報提供システム２０のＣＰＵは、所定の処理プログラムを実行する（Ｓ１４０）。そして、情報提供システム２０のＣＰＵは、当該処理プログラムのプロセスにより、以下の処理を行う。
【００４３】
情報提供システム２０のＣＰＵは、受信したリンク情報に基づいて、ＧＥＴリクエストをコンテンツサーバ４０に送信する（Ｓ１４５）。
【００４４】
一方、コンテンツサーバ４０のＣＰＵは、ＧＥＴリクエストを情報提供システム２０から受信する。続いて、コンテンツサーバ４０のＣＰＵは、受信したＧＥＴリクエストに基づいて、レスポンスとしてリンク情報に対応するＨＴＭＬファイルを情報提供システム２０に送信する（Ｓ１５０）。
【００４５】
情報提供システム２０のＣＰＵは、リンク情報に対応するコンテンツのＨＴＭＬファイルをコンテンツサーバ４０から受信する。続いて、情報提供システム２０のＣＰＵは、受信したＨＴＭＬファイルを解析し、コンテンツの再生時間、サムネイル画像のＵＲＬ、コンテンツの名称、コンテンツの作成者などを抽出する（Ｓ１５５）。そして、情報提供システム２０のＣＰＵは、抽出した情報を端末３０に送信する（Ｓ１６０）。
【００４６】
端末３０のＣＰＵは、抽出した情報を情報提供システム２０から受信する。続いて、端末３０のＣＰＵは、受信した情報に基づいて、番組表作成ウィンドウを作成又は更新する（Ｓ１６５）。図９は、このようにして作成又は更新された番組表ウィンドウの構成図である。
【００４７】
次に、端末３０のＣＰＵは、サムネイルがドラッグされた位置に対応するチャンネルのスカラー値と、時刻とを、番組表作成ウィンドウのＨＴＭＬファイルから取得する（Ｓ１７０）。続いて、端末３０のＣＰＵは、取得したスカラー値及びコンテンツの再生時間帯の組合せと、リンク情報とを関連付けてＲＡＭに一時的に作成した番組情報ファイルに記憶する（Ｓ１７５）。ここで、再生時間帯は、ＨＴＭＬファイルから取得した時刻と、コンテンツサーバ４０から受信したコンテンツの再生時間とに基づいて計算することができる。また、端末３０のＣＰＵは、リンク情報をキーとして、当該リンク情報と、情報提供システムから受信した他の情報（コンテンツの再生時間、サムネイル画像のＵＲＬ、コンテンツの名称、コンテンツの作成者など）とをそれぞれ関連付けてＲＡＭに一時的に作成した番組情報ファイルに記憶する（Ｓ１８０）。そして、端末３０のＣＰＵは、ＲＡＭに一時的に作成した番組情報ファイルを情報提供システム２０に送信する（Ｓ１８５）。
【００４８】
一方、情報提供システム２０のＣＰＵは、一時的に作成された番組情報ファイルを端末３０から受信する。続いて、情報提供システム２０のＣＰＵは、当該番組情報ファイルをＨＤＤに記憶する（Ｓ１９０）。
【００４９】
これによると、インターネットラジオ装置１０で利用することができる番組表の番組情報ファイルを、インターネットラジオ装置１０以外の装置が持つ記憶領域に作成することができる。また、インターネットラジオ装置１０で利用することができる番組表の番組情報ファイルを、ユーザにとって視覚的に分かり易い方法で作成することができる。また、インターネットラジオ装置１０がインターネット５０を経由してアクセス可能かどうかに関わらず、情報提供システム上にある番組表の番組情報ファイルに対して読み取り可能なアクセス権限を他のユーザに与えることによって、アクセス権限を与えられたユーザが常にその番組表の番組情報ファイルを利用することができるようになる。
【００５０】
また、例えば上記Ｓ１５０の動作に該当するステップで、提供されるＨＴＭＬファイル内にコンテンツサーバ４０のＣＰＵが、推奨されるチャンネル設定や再生時間帯情報等またはそれらを取得する方法を記述するようにし、情報提供システム２０のＣＰＵが、処理プログラムのプロセスにより、当該推奨チャンネル設定情報を取得し、上記Ｓ１６０のステップで端末３０にあわせて送信するようにしてもよい。これによると、端末３０のＣＰＵは、コンテンツサーバ４０が推奨するチャンネル設定や再生時間帯情報等を取得できるので、端末３０のＣＰＵは、自動的にそれらの情報から当該コンテンツのチャンネル設定や再生時間帯を設定できる。さらに、このとき、コンテンツサーバ４０のＣＰＵは、他のコンテンツサーバとの間で当該サーバを識別できるサーバ識別子をあわせて配信するようにし、上記と同様の方法で端末３０のＣＰＵがサーバ識別子情報を取得できるようにし、推奨されるチャンネル設定や再生時間帯が他のサーバから取得されたコンテンツと重複する場合に番組表作成プログラムや端末３０の操作者が処理を選択できるようにしてもよい。
【００５１】
以上、複数の実施形態について説明してきたが、本発明は、上記実施形態に限られない。例えば、情報提供システム２０は、番組情報ファイルが更新された場合に、当該番組情報ファイルに関するＲＳＳ情報を配信するようにしてもよい。ここで、インターネットラジオ装置１０は、番組情報ファイルが更新されたことを、ＲＳＳ（Ｒｉｃｈ  Ｓｉｔｅ  Ｓｕｍｍａｒｙ）リーダにより検知するようなっている。これによると、配信される情報にチャンネルの割り当てに関する情報があり、インターネットラジオ装置１０は、そのチャンネルを動的に割り当てることができるようになる。さらに、インターネットラジオ装置１０で再生されるコンテンツは動画像であってもよい。
【００５２】
また、チャンネルが割り当てられていない場合に、インターネットラジオ装置１０は、所定の唸りを発するようにしてもよい。
【図面の簡単な説明】
【００５３】
【図１】本実施形態のコンピュータシステムの全体構成を示すブロック図である。
【図２】インターネットラジオ装置の斜視図である。
【図３】インターネットラジオ装置の構成図である。
【図４】情報提供システムの構成図である。
【図５】番組情報ファイルの構造図である。
【図６】端末の構成図である。
【図７】実施形態２における番組情報ファイルの構造図である。
【図８】番組表作成ウィンドウと、コンテンツサーバ４０のウェブサイトを表示したウィンドウとをディスプレイに表示した図である。
【図９】作成又は更新された番組表ウィンドウの構成図である。
【符号の説明】
【００５４】
１０  インターネットラジオ装置
１１  ＣＰＵ（処理手段）
１２  ＲＡＭ（記憶手段）
１３  ＲＯＭ（記憶手段）
１４  選局部（入力手段）
１５  アナログ式表示部（表示手段）
１６  ＮＩＣ（通信手段）
１７  音声再生部（音声出力手段）
２０  情報提供システム
２１  ＣＰＵ（処理手段）
２２  ＲＡＭ（記憶手段）
２３  ＲＯＭ（記憶手段）
２４  ＨＤＤ（記憶手段）
２５  ＮＩＣ（通信手段）
３０  端末
３１  ＣＰＵ（処理手段）
３２  ＲＡＭ（記憶手段）
３３  ＲＯＭ（記憶手段）
３４  ＨＤＤ（記憶手段）
３５  キーボード（入力手段）
３６  マウス（入力手段）
３７  ディスプレイ（表示手段）
３８  ＮＩＣ（通信手段）
４０  コンテンツサーバ
５０  インターネット（通信ネットワーク）
【図１】
2008072672.tif 000003
【図２】
2008072672.tif 000004
【図３】
2008072672.tif 000005
【図４】
2008072672.tif 000006
【図５】
2008072672.tif 000007
【図６】
2008072672.tif 000008
【図７】
2008072672.tif 000009
【図８】
2008072672.tif 000010
【図９】
2008072672.tif 000011